(57)【要約】【課題】  通常用途のカラー撮影が可能であると共に、ＱＲコードを読み取る場合など必要に応じて、特定波長域の光のみを用いた解像度の高い撮影を行うことができる撮像装置を実現する。【解決手段】  この撮像装置は、通常のカラー撮影を行う通常撮影モードと、緑色波長域の撮像信号のみに基づいたモノクロ撮影を行う特定波長撮影モードとを有する。制御部１８は、信号処理回路１６において、通常撮影モードと特定波長撮影モードとのいずれのモードによる信号処理を行うかの切り替え制御を行う。これにより、通常はＲ，Ｇ，Ｂの各色によるカラー撮影を行い、ＱＲコードのような細かく密度の高い画像パターンを読み取る場合には、緑色波長域のみを用いた解像度の高いモノクロ撮影を行うような撮影方法が可能となる。【選択図】      図１
2005286536.tif 000002
【特許請求の範囲】
【請求項１】
カラー撮影機能を有する撮像装置であって、
複数の波長域の光に感度を有し、前記各波長域の光の入射光量に応じて各波長域ごとの撮像信号を出力する撮像素子と、
前記撮像素子からの特定の波長域またはすべての波長域の撮像信号に基づいて、画像データを生成する信号処理回路と、
前記信号処理回路において、前記すべての波長域の撮像信号に基づいて前記画像データを生成するか、前記特定の波長域の撮像信号のみに基づいて前記画像データを生成するかを切り替え制御する制御手段と
を備えたことを特徴とする撮像装置。
【請求項２】
撮像光学系をさらに備え、
前記撮像素子は、前記撮像光学系の設計中心波長域を含む複数の波長域の光に感度を有し、前記各波長域の光の入射光量に応じて各波長域ごとの撮像信号を出力し、
前記信号処理回路は、前記撮像素子からの設計中心波長域またはすべての波長域の撮像信号に基づいて、画像データを生成し、
前記制御手段は、前記信号処理回路において、前記すべての波長域の撮像信号に基づいて前記画像データを生成するか、前記設計中心波長域の撮像信号のみに基づいて前記画像データを生成するかを切り替え制御する
ことを特徴とする請求項１に記載の撮像装置。
【請求項３】
緑色波長域の光を中心に設計された撮像光学系をさらに備え、
前記撮像素子は、赤色波長域、緑色波長域、および青色波長域の各色光に対して感度を有し、前記各色光の入射光量に応じて前記各色光ごとの撮像信号を出力し、
前記信号処理回路は、前記撮像素子からの緑色波長域またはすべての波長域の撮像信号に基づいて、画像データを生成し、
前記制御手段は、前記信号処理回路において、前記すべての波長域の撮像信号に基づいて前記画像データを生成するか、前記緑色波長域の撮像信号のみに基づいて前記画像データを生成するかを切り替え制御する
ようになされていることを特徴とする請求項１に記載の撮像装置。
【請求項４】
マクロ撮影機能を備え、
前記制御手段は、前記マクロ撮影機能が使用された場合に、前記特定の波長域の撮像信号のみに基づいた画像データの生成が行われるような切り替え制御を行う
ようになされていることを特徴とする請求項１ないし３のいずれか１項に記載の撮像装置。
【発明の詳細な説明】
【技術分野】
【０００１】
本発明は、カラー撮影機能を有するカメラ付き携帯電話、およびデジタルスチルカメラなどの撮像装置に関する。
【背景技術】
【０００２】
近年、ＣＣＤ（Charge Coupled Device：電荷結合素子）やＣＭＯＳ（Complementary Metal Oxide Semiconductor）などの撮像素子は、非常に小型化および高画素化が進んでいる。このため近年では、小型でありながらも高性能な撮像装置が開発され、急速に普及している。例えば、小型の撮像モジュールを搭載したカメラ付き携帯電話は、近年急速に普及してきている。
【０００３】
カメラ付き携帯電話などでは、撮像素子として例えば単板式のカラーＣＣＤが用いられている。これは、受光面に多数のフォトセンサを平面的に配列すると共に、各フォトセンサに例えば赤（Ｒ）、緑（Ｇ）、および青（Ｂ）色のカラーフィルタを設けたものである。このようなカラーＣＣＤを用いた撮像装置では、Ｒ，Ｇ，Ｂの各波長域の光の入射光量に応じて、カラーＣＣＤから各波長域ごとの撮像信号が出力され、それらＲ，Ｇ，Ｂの撮像信号に基づいてカラー画像が生成される。
【０００４】
このようなカラーＣＣＤを用いたカラー撮影機能を有する撮像装置としては従来、例えば以下の特許文献１に記載のものがある。
【特許文献１】特開２０００−３４１７００号公報
【発明の開示】
【発明が解決しようとする課題】
【０００５】
一般に、カラーＣＣＤを用いた撮像装置において、その撮影レンズは白色光において高い性能が得られるような光学設計がなされている。例えば、Ｒ，Ｇ，Ｂの各波長域の光に感度を有するカラーＣＣＤを用いる場合には、Ｒ，Ｇ，Ｂの各色について色収差が出ないような光学設計がなされている。しかしながら、特にカメラ付き携帯電話等、小型の撮像装置に取り付けられる撮影レンズの場合、小型化が重要視され、色収差を十分に補正しにくい状況にある。そのため、色のにじみが発生しやすく、特に撮影対象が細かなパターンを有するものである場合に問題となる。
【０００６】
例えば最近では、カメラ付き携帯電話において、ＱＲ（Quick Response）コードと呼ばれる２次元バーコードを読み取る機能を備え、ＱＲコードを各種の情報伝達に用いるような利用状況が発生してきている。このＱＲコードのような細かく密度の高い画像パターンを読み取る場合には、撮影レンズに色収差があることは好ましくない。その一方、ＱＲコードなど、単にコード化された画像を読み取るだけであれば、カラーで撮影する必要が無くモノクロ撮影で十分である。例えばＲ，Ｇ，Ｂのカラーフィルタを用いるカラーＣＣＤの場合、分光感度は一般に緑色が最も高く、撮影レンズも緑色を中心波長として設計されており、光学的には、緑色波長域に対して高い解像度を有している。このような場合、緑色波長域のみを用いて撮影を行うことができれば、色収差もなく解像度の高い撮影画像を得ることができ、ＱＲコードなどの読み取りに適したものになると考えられる。
【０００７】
本発明はかかる問題点に鑑みてなされたもので、その目的は、通常用途のカラー撮影が可能であると共に、ＱＲコードを読み取る場合など必要に応じて、特定波長域の光のみを用いた解像度の高い撮影を行うことができる撮像装置を提供することにある。
【課題を解決するための手段】
【０００８】
本発明による撮像装置は、カラー撮影機能を有する撮像装置であって、複数の波長域の光に感度を有し、各波長域の光の入射光量に応じて各波長域ごとの撮像信号を出力する撮像素子と、撮像素子からの特定の波長域またはすべての波長域の撮像信号に基づいて、画像データを生成する信号処理回路と、信号処理回路において、すべての波長域の撮像信号に基づいて画像データを生成するか、特定の波長域の撮像信号のみに基づいて画像データを生成するかを切り替え制御する制御手段とを備えたものである。
【０００９】
本発明による撮像装置において、撮像光学系をさらに備え、撮像素子が、撮像光学系の設計中心波長域を含む複数の波長域の光に感度を有し、各波長域の光の入射光量に応じて各波長域ごとの撮像信号を出力し、信号処理回路が、撮像素子からの設計中心波長域またはすべての波長域の撮像信号に基づいて、画像データを生成し、制御手段が、信号処理回路において、すべての波長域の撮像信号に基づいて画像データを生成するか、設計中心波長域の撮像信号のみに基づいて画像データを生成するかを切り替え制御するようにしても良い。
【００１０】
また例えば、緑色波長域の光を中心に設計された撮像光学系を備え、撮像素子が、赤色波長域、緑色波長域、および青色波長域の各色光に対して感度を有し、各色光の入射光量に応じて各色光ごとの撮像信号を出力し、信号処理回路が、撮像素子からの緑色波長域またはすべての波長域の撮像信号に基づいて、画像データを生成し、制御手段が、信号処理回路において、すべての波長域の撮像信号に基づいて画像データを生成するか、緑色波長域の撮像信号のみに基づいて画像データを生成するかを切り替え制御するようにしても良い。
【００１１】
また、マクロ撮影機能を備え、制御手段が、マクロ撮影機能が使用された場合に、特定の波長域の撮像信号のみに基づいた画像データの生成が行われるような切り替え制御を行うようにしても良い。
【００１２】
本発明による撮像装置では、撮像素子が複数の波長域の光に感度を有し、各波長域の光の入射光量に応じて各波長域ごとの撮像信号が出力される。信号処理回路では、撮像素子からの特定の波長域またはすべての波長域の撮像信号に基づいて、画像データが生成される。制御手段は、信号処理回路において、すべての波長域の撮像信号に基づいて画像データを生成するか、特定の波長域の撮像信号のみに基づいて画像データを生成するかを切り替え制御する。これにより、例えば、撮像素子としてＲ，Ｇ，Ｂの各波長域の光に感度を有するカラーＣＣＤを用いた場合において、通常はＲ，Ｇ，Ｂの各色によるカラー撮影を行い、ＱＲコードのような細かく密度の高い画像パターンを読み取る場合には、例えば緑色波長域のみを用いた解像度の高いモノクロ撮影を行うような撮影方法が可能となる。
【発明の効果】
【００１３】
本発明による撮像装置によれば、複数の波長域の光に感度を有し、各波長域の光の入射光量に応じて各波長域ごとの撮像信号を出力する撮像素子と、撮像素子からの特定の波長域またはすべての波長域の撮像信号に基づいて、画像データを生成する信号処理回路と、号処理回路において、すべての波長域の撮像信号に基づいて画像データを生成するか、特定の波長域の撮像信号のみに基づいて画像データを生成するかを切り替え制御する制御手段とを備えるようにしたので、通常用途のカラー撮影が可能であると共に、ＱＲコードを読み取る場合など必要に応じて、特定波長域の光のみを用いた解像度の高い撮影を行うことができる。
【発明を実施するための最良の形態】
【００１４】
以下、本発明の実施の形態について図面を参照して詳細に説明する。
【００１５】
図１は、本発明の一実施の形態に係る撮像装置としてのカメラ付き携帯電話の一構成例を示している。このカメラ付き携帯電話は、撮影レンズ１０と、光学フィルタ１１と、撮像素子としてのＣＣＤ１２とを備えている。なお、ＣＣＤ１２に代えて、ＣＭＯＳなどの他の撮像素子を用いても良い。撮影レンズ１０は、光学的に被写体像を形成するためのものである。撮影レンズ１０は、例えばマクロ撮影が可能なズームレンズで構成されている。撮影レンズ１０による被写体像は、ＣＣＤ１２の受光面上に結像される。光学フィルタ１１は、赤外線カットフィルタやローパスフィルタなどで構成され、不要な光をカットし、ＣＣＤ１２に特定波長の光のみを通過させるものである。ＣＣＤ１２は、撮影レンズ１０による被写体像に応じた撮像信号を出力するようになっている。
【００１６】
ＣＣＤ１２の受光面には、多数のフォトセンサが平面的に配列されている。フォトセンサには例えば赤（Ｒ）、緑（Ｇ）、および青（Ｂ）色のカラーフィルタが所定の構造で設けられている。このように各色のカラーフィルタを用いて１つのＣＣＤ１２でカラー撮影を行う方式は単板式と呼ばれるが、プリズムによる色分解光学系を搭載し、各色ごとに専用の撮像素子を配置してカラー撮影を行うような複板式の構成も可能である。
【００１７】
図３は、ＣＣＤ１２単体での分光感度特性の一例を示している。図４には、より詳細な分光感度特性を示す。一般に、携帯電話用のカメラやデジタルスチルカメラに搭載されるカラーＣＣＤの分光感度は、可視光のみならず、人間の目には感度のない１０００ｎｍ付近までの近赤外領域に対しても感度を持つ。ただし、本実施の形態では、ＣＣＤ１２の直前に設けられた光学フィルタ１１によって、例えば近赤外領域の光はカットされる。本実施の形態におけるＣＣＤ１２は、例えば図４に示したような赤色波長域、緑色波長域、および青色波長域の各色光に対して感度を有し、各色光の入射光量に応じて各色光ごとの撮像信号を出力するようになっている。ＣＣＤ１２は、特に緑色波長域に対して高い分光感度を有している。このため、撮影レンズ１０は、この緑色波長域を設計中心として設計されている。
【００１８】
このカメラ付き携帯電話はまた、ＣＤＳ（Correlated Double Sampler）／ＡＧＣ（Automatic Gain Control）回路１３と、タイミング制御回路１４と、Ａ／Ｄ（アナログ／デジタル）変換回路１５と、信号処理回路１６と、画像メモリ１７と、制御部１８とを備えている。このカメラ付き携帯電話はさらに、カードＩ／Ｆ（インタフェース）２１と、メモリカード２２と、電話部２３と、ＶＲＡＭ（Video Random Access Memory）２４と、ＬＣＤ（液晶表示装置）２５と、操作部４１と、レンズ駆動部４２とを備えている。
【００１９】
ＣＤＳ／ＡＧＣ回路１３は、ＣＣＤ１２からの撮像信号に含まれるノイズを除去すると共に、その信号レベルが所定のレベルとなるように利得調整を行うための回路である。Ａ／Ｄ変換回路１５は、撮像信号をＲ，Ｇ，Ｂのデジタル信号に変換するためのものである。タイミング制御回路１４は、タイミング信号を生成し、ＣＣＤ１２、ＣＤＳ／ＡＧＣ回路１３、およびＡ／Ｄ変換回路１５が所定のタイミングで動作するよう制御する。タイミング制御回路１４は例えば、ＣＣＤ１２における撮像信号の読み出しタイミングなどを制御する。信号処理回路１６は、Ｒ，Ｇ，Ｂの各色のデジタル画像信号に各種の信号処理を行い、例えばＮＴＳＣ方式の映像信号に変換して出力するものである。画像メモリ１７は、信号処理回路１６から出力された映像信号を記憶するためのものである。
【００２０】
メモリカード２２は、撮影した画像データなどを記録するための外部記憶メモリ（例えばスマートメディア）である。カードＩ／Ｆ２１は、メモリカード２２と本体との間で画像データの送受信を行うためのインタフェースである。電話部２３は、電話機能を実現するための回路部である。ＶＲＡＭ２４は、ＬＣＤ２５に表示する画像データを一時的に格納するためのものである。ＬＣＤ２５は、電話機能に関する各種メニュー表示のほか、撮影機能によって撮影された画像などを表示する。操作部４１は、電話機能に関する各種の操作キー、ならびに撮影機能に関する各種の操作キーおよび操作スイッチなどを有している。操作部４１は、撮影モードを切り替えるためのモード選択スイッチ、例えばマクロ撮影モードへの切り替えを指示するマクロ切替スイッチ４１Ａを有している。レンズ駆動部４２は、フォーカス調整やズーミングを行うために撮影レンズ１０を駆動するものである。
【００２１】
図２（Ａ），（Ｂ）は、信号処理回路１６の一構成例を示している。このカメラ付き携帯電話は、通常のカラー撮影を行う通常撮影モードと、緑色波長域の撮像信号のみに基づいたモノクロ撮影を行う特定波長撮影モードとを有している。後述するように、特定波長撮影モードへの移行は、マクロ撮影モードの場合に行われる。図２（Ａ）では、通常撮影モードでの信号の流れが分かるように回路構成を示している。図２（Ｂ）では、特定波長撮影モードでの信号の流れが分かるように回路構成を示している。
【００２２】
信号処理回路１６は、ラインメモリ３１と、ラインマトリックス回路３２と、ＹＣ変換部３３と、エンコーダ３４とを有している。ラインメモリ３１は、Ａ／Ｄ変換回路１５から出力されたＲ，Ｇ，Ｂの各色のデジタル画像信号を、各色ごとに一時的に記憶するものである。ラインマトリックス回路３２は、ラインメモリ３１からＲ，Ｇ，Ｂのデジタル画像信号を順次読み出し、色調整などの補正処理を行うものである。ＹＣ変換部３３は、Ｒ，Ｇ，Ｂのデジタル画像信号を輝度信号Ｙと色差（クロマ）信号Ｃとに変換するものである。ＹＣ変換部３３は、輝度信号Ｙを生成するＹ処理部３３Ｙと、色差信号Ｃを生成するＣ処理部３３Ｃとを有している。エンコーダ３４は、ＹＣ変換部３３から出力された輝度信号Ｙと色差信号Ｃとを、例えばＮＴＳＣ方式の映像信号に変換して出力するものである。
【００２３】
ここで、ＹＣ変換部３３は、通常撮影モードでは、図２（Ａ）に示したように、Ｒ，Ｇ，Ｂの各色のデジタル画像信号のすべてに基づいて輝度信号Ｙと色差信号Ｃとを生成するようになっている。図２（Ａ）では、この場合に生成された輝度信号Ｙと色差信号Ｃとをそれぞれ、Ｙ（Ｒ，Ｇ，Ｂ），Ｃ（Ｒ，Ｇ，Ｂ）と記す。一方、特定波長撮影モードでは、図２（Ｂ）に示したように、Ｒ，Ｂ信号を間引きしてＧ信号のみに基づいて輝度信号Ｙと色差信号Ｃとを生成するようになっている。図２（Ｂ）では、この場合に生成された輝度信号Ｙと色差信号Ｃとをそれぞれ、Ｙ（Ｇ），Ｃ（Ｇ）と記す。ＹＣ変換部３３において、いずれのモードによる信号処理を行うかの切り替え制御は制御部１８によって行われる。
【００２４】
制御部１８は、各部の動作制御を行うためのものであり、ＣＰＵ（Central Processing Unit）を有して構成されている。制御部１８は、信号処理回路１６のＹＣ変換部３３において、通常撮影モードと特定波長撮影モードとのいずれのモードによる信号処理を行うかの切り替え制御を行う機能を有している。制御部１８は、特にマクロ撮影機能が使用された場合に、特定波長撮影モードによる信号処理が行われるような切り替え制御を行うようになっている。
【００２５】
次に、以上のように構成されたカメラ付き携帯電話の撮影に関する動作を説明する。
【００２６】
図５は、このカメラ付き携帯電話における撮影動作の流れを示している。制御部１８は、操作部４１の撮影開始スイッチ（図示せず）の状態を監視し、使用者による撮影開始の指示がなされたか否かを監視している（ステップＳ１）。撮影開始スイッチがオンされ、撮影開始の指示がなされた場合（ステップＳ１；Ｙ）、制御部１８は、さらに撮影モードがマクロ撮影モードであるか否かを判断する（ステップＳ２）。これは例えば、操作部４１のマクロ切替スイッチ４１Ａの状態を監視することでマクロ撮影モードであるか否かを判断することができる。
【００２７】
制御部１８は、マクロ撮影モードでないと判断した場合（ステップＳ２；Ｎ）には、通常のカラー撮影を行う通常撮影モードに移行する（ステップＳ３）。この場合、ＣＣＤ１２は、撮影レンズ１０および光学フィルタ１１を介して受光面に結像された被写体像に応じた撮像信号を出力する。撮像信号は、ＣＤＳ／ＡＧＣ回路１３およびＡ／Ｄ変換回路１５を経て、Ｒ，Ｇ，Ｂの各色のデジタル画像信号に変換され、信号処理回路１６に入力される。信号処理回路１６では、Ａ／Ｄ変換回路１５から出力されたＲ，Ｇ，Ｂの各色のデジタル画像信号を、各色ごとにラインメモリ３１に一時的に記憶すると共に、それらの信号を順次読み出し、ラインマトリックス回路３２で色調整などの補正処理を行う。次に、ＹＣ変換部３３において、図２（Ａ）に示したようにＲ，Ｇ，Ｂの各色のデジタル画像信号のすべてに基づいて輝度信号Ｙと色差信号Ｃとを生成する。生成された輝度信号Ｙ（Ｒ，Ｇ，Ｂ）と色差信号Ｃ（Ｒ，Ｇ，Ｂ）とが、エンコーダ３４に出力される。エンコーダ３４は、生成された輝度信号Ｙ（Ｒ，Ｇ，Ｂ）と色差信号Ｃ（Ｒ，Ｇ，Ｂ）とを、例えばＮＴＳＣ方式の映像信号に変換して出力する。信号処理回路１６から出力された映像信号は、画像メモリ１７に記録される。また、制御部１８は、映像信号を、使用者の操作に応じてカードＩ／Ｆ２１を介して外部のメモリカード２２に出力して記録させたり、ＬＣＤ２５に出力して撮影内容を表示させたりする処理を行う。
【００２８】
一方、制御部１８は、マクロ撮影モードである判断した場合（ステップＳ２；Ｙ）には、緑色波長域の撮像信号のみに基づいたモノクロ撮影を行う特定波長撮影モードに移行する（ステップＳ４）。この場合、信号処理回路１６では、Ａ／Ｄ変換回路１５から出力されたＲ，Ｇ，Ｂの各色のデジタル画像信号を、各色ごとにラインメモリ３１に一時的に記憶すると共に、それらの信号を順次読み出し、ラインマトリックス回路３２で色調整などの補正処理を行う。次に、ＹＣ変換部３３において、図２（Ｂ）に示したようにＲ，Ｂ信号を間引きしてＧ信号のみに基づいて輝度信号Ｙと色差信号Ｃとを生成する。生成された輝度信号Ｙ（Ｇ）と色差信号Ｃ（Ｇ）とが、エンコーダ３４に出力される。エンコーダ３４は、生成された輝度信号Ｙ（Ｇ）と色差信号Ｃ（Ｇ）とを、例えばＮＴＳＣ方式の映像信号に変換して出力する。信号処理回路１６から出力された映像信号は、画像メモリ１７に記録される。また、制御部１８は、映像信号を、使用者の操作に応じてカードＩ／Ｆ２１を介して外部のメモリカード２２に出力して記録させたり、ＬＣＤ２５に出力して撮影内容を表示させたりする処理を行う。
【００２９】
図６は、撮影動作の他の例を示している。図５では、マクロ撮影モードに移行した場合に必ず特定波長撮影モードに移行するものとして説明したが、マクロ撮影モードにおいてもカラー撮影が行えるようにしても良い。図６は、その場合の撮影動作の流れを示している。なお、以下では図５の撮影動作と同じ部分については説明を省略する。
【００３０】
この場合、制御部１８は、マクロ撮影モードである判断した場合（ステップＳ２；Ｙ）に、さらにカラー撮影モードであるか否かを判断する（ステップＳ２１）。これは例えば、操作部４１にカラーによるマクロ撮影モードへと切り替えるためのカラーモード切替スイッチを設け、そのカラーモード切替スイッチの状態を監視することでカラー撮影モードであるか否かを判断することができる。制御部１８は、マクロ撮影モードでかつ、カラー撮影モードであると判断した場合（ステップＳ２１；Ｙ）には、マクロ撮影でかつカラー撮影を行うカラー・マクロ撮影モードに移行する（ステップＳ２２）。このカラー・マクロ撮影モードでの信号処理動作は、上記した通常撮影モードと同様である。一方、制御部１８は、マクロ撮影モードでかつ、カラー撮影モードではないと判断した場合（ステップＳ２１；Ｎ）には、上記したモノクロ撮影を行う特定波長撮影モードに移行する（ステップＳ４）。
【００３１】
以上のようにして、本実施の形態によれば、信号処理回路１６において、通常撮影モードと特定波長撮影モードとのいずれのモードによる信号処理を行うかの切り替え制御を行う機能を有しているので、通常はＲ，Ｇ，Ｂの各色によるカラー撮影を行い、ＱＲコードのような細かく密度の高い画像パターンを読み取る場合には、緑色波長域のみを用いた解像度の高いモノクロ撮影を行うような撮影方法が可能となる。また、本実施の形態による撮像装置は、撮影レンズ１０やＣＣＤ１２自体は、従来からあるものをそのまま使用できるので、低コストで実施しやすい。特に撮影レンズ１０として色収差の大きいレンズを使用したとしても、ＱＲコードのような細かく密度の高い画像パターンを読み取ることが可能となる。
【００３２】
［変形例］
なお、本発明は、上記実施の形態に限定されず種々の変形実施が可能である。例えば、上記実施の形態では撮像装置としてカメラ付き携帯電話を例に説明したが、本発明はカメラ付き携帯電話に限らず、デジタルスチルカメラ、およびデジタルビデオカメラなどにも、もちろん適用可能である。
【００３３】
また、上記実施の形態では、光学系の設計中心波長が緑色波長域にあり、その設計中心波長域のみを用いた撮影へと切り替え制御を行う場合について説明したが、設計中心波長域以外の他の赤色または青色波長域のみを用いた撮影へと切り替えるようにしても良い。設計中心波長域以外の波長域を用いた場合、切り替えた際にピント位置のずれが生ずるおそれがあるが、その場合には、制御部１８が、切り替え制御に応じてレンズ駆動部４２を制御してピント位置のずれを調整するようにすればよい。これは機構的には、通常のフォーカス調整を行う場合と同じであり、容易に実施できる。
【００３４】
また、上記実施の形態では、Ｒ，Ｇ，Ｂのカラーフィルタを用いたカラーＣＣＤについて説明したが、これに限らず、例えばマゼンタ（Ｍａ）、イエロー（Ｙｅ）、グリーン（Ｇ）、およびシアン（Ｃｙ）の補色カラーフィルタを用いたカラーＣＣＤに対しても、もちろん適用可能である。
【００３５】
また、上記実施の形態では、マクロ撮影時に特定波長撮影モードに移行するような自動制御を行うようにしたが、マクロ撮影であるか否かにかかわらず、ユーザによる任意の操作で特定波長撮影モードに移行するようにしても良い。例えば操作部４１に特定波長撮影モード専用のモード切替スイッチを設け、このモード切替スイッチからの指示に基づき制御部１８が、特定波長撮影モードへの切り替え制御を行うようにしても良い。
【００３６】
また、上記実施の形態では、信号処理回路１６において、Ｒ，Ｇ，Ｂのデジタル画像信号を輝度信号Ｙと色差信号Ｃとに変換処理して出力する例を示したが、ＹＣ変換を行わずにＲ，Ｇ，Ｂ信号のまま出力するようにしても良い。この場合にも、通常の撮影モードではＲ，Ｇ，Ｂ信号を出力し、特定波長撮影モードではＲ，Ｂ信号を間引きしＧ信号のみを出力するような処理を行う。
【図面の簡単な説明】
【００３７】
【図１】本発明の一実施の形態に係る撮像装置としてのカメラ付き携帯電話の一構成例を示す回路図である。
【図２】信号処理回路の詳細を示す回路図である。
【図３】ＣＣＤの分光感度の一例を示す特性図である。
【図４】可視領域におけるＣＣＤの分光感度の詳細を示す特性図である。
【図５】撮影動作の一例を示す流れ図である。
【図６】撮影動作の他の例を示す流れ図である。
【符号の説明】
【００３８】
１０…撮影レンズ、１１…光学フィルタ、１２…ＣＣＤ、１６…信号処理回路、１８…制御部、４１Ａ…マクロ切替スイッチ、４２…レンズ駆動部。
【図１】
2005286536.tif 000003
【図２】
2005286536.tif 000004
【図３】
2005286536.tif 000005
【図４】
2005286536.tif 000006
【図５】
2005286536.tif 000007
【図６】
2005286536.tif 000008